(57)【要約】【課題】  ユーザーの撮影熟練度や撮影情報に対する知識度等に応じた適切な撮影関連情報を表示する。【解決手段】  ユーザーが予め設定した仕様が「プロ仕様」「ビギナー仕様」「カスタム仕様」のいずれであるかを判断する（Ｓ１１９、Ｓ１２１、Ｓ１２３）。「プロ仕様」である場合には（Ｓ１１９；ＹＥＳ）、絞り、シャッター速度など撮影データや設定情報を所定のプロ仕様の表示様式で、スルー画像とともに電子ファインダーに表示する（Ｓ１２０）。「ビギナー仕様」である場合には（Ｓ１２１；ＹＥＳ）、撮影データや設定情報を所定のビギナー仕様の表示様式で、撮像スルー画像とともに電子ファインダーに表示する（Ｓ１２２）。ユーザーが予め設定した仕様が「カスタム仕様」である場合には（Ｓ１２３；ＹＥＳ）、撮影データや設定情報を、予め登録したカスタム仕様の表示様式で、スルー画像とともに電子ファインダーに表示する（Ｓ１２４）。【選択図】    図５
2005201995.tif 000002
【特許請求の範囲】
【請求項１】
表示手段と、
前記表示手段に表示させる撮影に関連する情報の表示仕様を複数の表示仕様の中から選択する選択手段と、
この選択手段により選択された表示仕様で前記表示手段に撮影に関連する情報を表示させる表示制御手段と
を備えることを特徴とするカメラ装置。
【請求項２】
前記表示手段は、撮像手段より撮像される被写体像を表示するファインダー表示部であることを特徴とする請求項１記載のカメラ装置。
【請求項３】
前記表示仕様は、少なくともプロ用表示仕様と、ビギナー用表示仕様とを含むことを特徴とする請求項１または２記載のカメラ装置。
【請求項４】
撮影に関連する情報の表示仕様を記憶した第１の記憶手段と、
外部から入力される撮影に関連する情報の表示仕様を記憶する第２の記憶手段と
を備え、
前記表示制御手段は、前記選択手段による選択結果に基づき、前記第１または第２の記憶手段に記憶された表示仕様で前記表示手段に撮影に関連する情報を表示させることを特徴とする請求項１または２記載のカメラ装置。
【請求項５】
前記撮影に関連する情報は、撮影条件、撮影シーン、被写体に関するアドバイス情報とサンプル画像とのいずれか一つを少なくとも含むことを特徴とする請求項１または２記載のカメラ装置。
【請求項６】
前記表示仕様は、複数の撮影条件値の関係を図式表示するものを含むことを特徴とする請求項１または２記載のカメラ装置。
【請求項７】
前記表示仕様は、固定指針に対して目盛側を回転表示することにより、所定の値を示すものを含むことを特徴とする請求項１または２記載のカメラ装置。
【請求項８】
前記表示仕様は、固定指針に対してユーザーが設定した値に対応する可動指針を表示し、固定指針に対する可動指針の傾きにより、前記ユーザーが設定した値を表示するものを含むことを特徴とする請求項１または２記載のカメラ装置。
【請求項９】
前記撮影に関連する情報は、ユーザーの操作に連動する換算情報を含むことを特徴とする請求項１または２記載のカメラ装置。
【請求項１０】
表示手段を有するカメラ装置における撮影関連情報の表示方法であって、
前記表示手段に表示させる撮影に関連する情報の表示仕様を複数の表示仕様の中から選択する選択工程と、
この選択工程で選択された表示仕様で前記表示手段に撮影に関連する情報を表示させる表示制御工程と
を含むことを特徴とする撮影関連情報の表示方法。
【請求項１１】
表示手段と操作手段とを備えるカメラ装置が有するコンピュータを、
前記操作手段の操作に応じて、前記表示手段に表示させる撮影に関連する情報の表示仕様を複数の表示仕様の中から選択する選択手段と、
この選択手段により選択された表示仕様で前記表示手段に撮影に関連する情報を表示させる表示制御手段と
して機能させることを特徴とする撮影関連情報表示制御プログラム。
【発明の詳細な説明】
【技術分野】
【０００１】
本発明は、カメラ装置、撮影関連情報の表示方法及び撮影関連情報表示制御プログラムに関する。
【背景技術】
【０００２】
従来、各種撮影情報を表示する機能を備えたカメラ装置として、下記特許文献１〜５に記載のものが公知である。
特許文献１；入力された撮影条件に適合した仕様のレンズを検索して選択可能に表示し、選択したレンズの仕様に基づいて撮影条件（距離、被写体の大きさ、絞り、画面サイズ等）を計算して表示する。
特許文献２；選択された露出制御プログラムの絞り値に対するシャッター速度の組合せをプログラム線図としてドット表示し、測光結果に基づいて選択された絞り値とシャッター速度の組合せに対するドットを表示する。
特許文献３；被写体の距離Ｄ、撮影レンズの焦点距離および絞り値の変数を用いて計算上の被写界深度ｄを求め、被写界深度ｄを被写体距離Ｄで割った値ｄ／Ｄをセグメント表示する。
特許文献４；一つの被写体の距離、絞り値および焦点距離を定めると、被写界深度を演算し、他の被写体がその被写界深度にあるか否かを表示体の点灯や点滅で表示する。
特許文献５；ズームレンズの焦点距離と、測距距離と、絞り値から被写界深度を計算し、ファインダー内の視野外にバー表示する。
【特許文献１】特許第３３７１２７９号公報
【特許文献２】特公平６−５２３６７号公報
【特許文献３】特許第２５９４４５４号公報
【特許文献４】特開平５−２３２３７１号公報
【特許文献５】特開平８−２２０４１９号公報
【発明の開示】
【発明が解決しようとする課題】
【０００３】
しかしながら、従来の撮影情報を表示する機能を備えたカメラ装置にあっては、表示する撮影情報に相違はあるものの、予め定められた所定の情報を所定の表示態様で表示する。これに対し、当該カメラ装置を使用するユーザーにあっては、プロカメラマンのように極めて高い撮影熟練度や撮影情報に対する知識度を有する者や、ビギナーカメラマンのように撮影熟練度や撮影情報に対する知識度が低い者等の様々なレベルの者が存在する。したがって、予め定められた所定の情報を所定の表示態様で表示する従来のカメラ装置では、撮影熟練度や撮影情報に対する知識度が異なるユーザーにとって適切となる撮影関連情報を表示することができるものではなかった。
【０００４】
本発明は、かかる従来の課題に鑑みてなされたものであり、ユーザーの撮影熟練度や撮影情報に対する知識度等に応じた適切な撮影関連情報を表示することのできるカメラ装置を提供することを目的とする。
【課題を解決するための手段】
【０００５】
前記課題を解決するため請求項１記載の発明にかかるカメラ装置にあっては、表示手段と、前記表示手段に表示させる撮影に関連する情報の表示仕様を複数の表示仕様の中から選択する選択手段と、この選択手段により選択された表示仕様で前記表示手段に撮影に関連する情報を表示させる表示制御手段とを備える。したがって、ユーザーはこのカメラ装置を使用するに際して、自己の撮影熟練度や撮影情報に対する知識度に応じて、予め選択手段により表示手段に表示させる撮影に関連する情報の表示仕様を選択する。すると、表示制御手段が選択手段により選択された表示仕様で前記表示手段に撮影に関連する情報を表示させる。これにより、表示手段には当該ユーザーの自己の撮影熟練度や撮影情報に対する知識度に応じた仕様で、撮影に関連する情報が表示されることとなる。
【０００６】
また、請求項２記載の発明にかかるカメラ装置にあっては、前記表示手段は、撮像手段より撮像される被写体像を表示するファインダー表示部である。したがって、被写体像を表示するファインダー表示部を有効利用して、撮影に関連する情報を表示することができるとともに、ユーザーは被写体像を視認しつつ撮影に関連する情報も視認することができる。
【０００７】
また、請求項３記載の発明にかかるカメラ装置にあっては、前記表示仕様は、少なくともプロ用表示仕様と、ビギナー用表示仕様とを含む。したがって、極めて高い撮影熟練度や撮影情報に対する知識度を有するプロカメラマンから、撮影熟練度や撮影情報に対する知識度が低いビギナーカメラマンまで、当該ユーザーの自己の撮影熟練度や撮影情報に対する知識度に応じた仕様で、撮影に関連する情報が表示される。
【０００８】
また、請求項４記載の発明にかかるカメラ装置にあっては、撮影に関連する情報の表示仕様を記憶した第１の記憶手段と、外部から入力される撮影に関連する情報の表示仕様を記憶する第２の記憶手段とを備え、前記表示制御手段は、前記選択手段による選択結果に基づき、前記第１または第２の記憶手段に記憶された表示仕様で前記表示手段に撮影に関連する情報を表示させる。したがって、当該カメラ装置に予め記憶されている表示仕様のみならず、ユーザーが外部から入力した表示仕様でも撮影に関連する情報が表示される。
【０００９】
また、請求項５記載の発明にかかるカメラ装置にあっては、前記撮影に関連する情報は、撮影条件、撮影シーン、被写体に関するアドバイス情報とサンプル画像とのいずれか一つを少なくとも含む。したがって、特にビギナーカメラマンに対して、アドバイス情報やサンプル画像により、適切な情報表示が可能となる。
【００１０】
また、請求項６記載の発明にかかるカメラ装置にあっては、前記表示仕様は、複数の撮影条件値の関係を図式表示するものを含む。したがって、図式表示により複数の撮影条件値の関係を解りやすく表示することができる。
【００１１】
また、請求項７記載の発明にかかるカメラ装置にあっては、前記表示仕様は、固定指針に対して目盛側を回転表示することにより、所定の値を示すものを含む。したがって、固定指針を注視していれば、視線移動をせずに同一の視線で目盛側の数値を読み取ることができる。
【００１２】
また、請求項８記載の発明にかかるカメラ装置にあっては、前記表示仕様は、固定指針に対してユーザーが設定した値に対応する可動指針を表示し、固定指針に対する可動指針の傾きにより、前記ユーザーが設定した値を表示するものを含む。したがって、固定指針に対する可動指針の傾きにより、ユーザーが設定した値を容易に読み取ることができる。
【００１３】
また、請求項９記載の発明にかかるカメラ装置にあっては、前記撮影に関連する情報は、ユーザーの操作に連動する換算情報を含む。したがって、ユーザーは連動する換算情報を視認しつつ、操作を行うことができる。
【００１４】
また、請求項１０記載の発明にあっては、表示手段を有するカメラ装置における撮影関連情報の表示方法であって、前記表示手段に表示させる撮影に関連する情報の表示仕様を複数の表示仕様の中から選択する選択工程と、この選択工程で選択された表示仕様で前記表示手段に撮影に関連する情報を表示させる表示制御工程とを含む。したがって、記載した工程に従って処理を実行することにより、請求項１記載の発明と同様の作用効果を奏する。
【００１５】
また、請求項１１記載の発明にかかる撮影関連情報表示制御プログラムにあっては、表示手段と操作手段とを備えるカメラ装置が有するコンピュータを、前記操作手段の操作に応じて、前記表示手段に表示させる撮影に関連する情報の表示仕様を複数の表示仕様の中から選択する選択手段と、この選択手段により選択された表示仕様で前記表示手段に撮影に関連する情報を表示させる表示制御手段として機能させるしたがって、前記コンピュータがこのプログラムに従って処理を実行することにより、請求項１記載の発明と同様の作用効果を奏する。
【発明の効果】
【００１６】
以上のように本発明によれば、ユーザーが予め表示手段に表示させる撮影に関連する情報の表示仕様を複数の表示仕様の中から選択すると、選択された表示仕様で表示手段に撮影に関連する情報が表示されることから、当該ユーザーの撮影熟練度や撮影情報に対する知識度等に応じた適切な仕様で撮影に関連する情報を表示することが可能となる。
【発明を実施するための最良の形態】
【００１７】
以下、本発明の一実施の形態を図に従って説明する。
（第１の実施の形態）
図１は本発明の各実施の形態に共通するデジタルカメラ１の正面図、図２は平面図、図３は背面図である。このデジタルカメラ１の本体２には、図１に示すようにその前面に、撮像レンズ３、測光部４、ファインダー５、マイク６、ストロボ部７および測距センサー部８が設けられている。撮像レンズ３は標準レンズと望遠レンズとに交換可能である。また、上面には図２に示すように、電源ＯＮ／ＯＦＦキー９、シャッターキー１０およびズームレバー１１が設けられている。さらに、背面には図３に示すように、メモリカード電池交換蓋１２、ＤＩＳＰキー１３、ＰｒｅＶｉｅｗキー１４、セルフタイマーキー１５、カーソルキー１６、ＳＥＴキー１７、ＭＥＮＵキー１８、モードダイアル１９、絞りキー２０、シャッター速度キー２１、光学ファインダー２２、ヒストグラム表示ＯＮキー２３、データ表示ＯＮキー２４、電子ファインダー消灯キー２５および電子ファインダー２６が設けられている。そして、モードダイアル１９の操作により後述するフローチャートに示す各種モードが設定され、各種モードが設定されている状態でカーソルキー１６とＳＥＴキー１７が操作されることにより、当該モードにおける選択肢の選択が可能となる。また、電子ファインダー２６は、ＬＣＤパネルからなり、記録された静止画および動画を再生表示するモニタとしての機能も兼用する。
【００１８】
図４は、デジタルカメラ１の回路構成を示すブロック図である。図に示すように、前記シャッターキー１０は、半押し時点と全押し時点とで夫々オンとなる２段スイッチ２７に連係され、前記ズームレバー１１はこれを操作している間のみオンとなる常開スイッチ２８の上部に配置されている。その他の入力操作部２９は、シャッターキー１０とズームレバー１１以外の前記図１〜図３に示した各種キーに対応するスイッチ群で構成され、このスイッチ群および前記各スイッチのオン・オフ情報は、入力回路３０を介して、制御回路３１に入力される。
【００１９】
制御回路３１は、ＣＰＵおよびその周辺回路と、後述するフローチャートに示すプログラムやデジタルカメラとして機能するに必要なプログラム等が格納されているＲＯＭ、ＣＰＵの作業用メモリであるＲＡＭ等から構成されるマイクロコンピュータであり、各部を制御する。なお、制御回路３１のＲＡＭは、ＣＰＵの作業用メモリとして用いられるのみならず、後述するフローチャートに示すように、ユーザーが外部装置から入力したファインダー表示仕様データの記憶手段としても用いられる。
【００２０】
この制御回路３１には、表示メモリ３２、表示駆動ブロック３３、画像バッファメモリ３４、画像信号処理部３５、圧縮符号化／伸長復号化部３６、静止画／動画画像メモリ３７、外部メモリインタフェース３８、外部Ｉ／Ｏインターフェース３９、および電源制御ブロック４０が接続されている。表示メモリ３２には、電子ファインダー２６に表示される各種表示データが一時的に記憶される。表示駆動ブロック３３は、前記ＬＣＤパネルからなる電子ファインダー２６を駆動し、画像バッファメモリ３４は、画像データを処理する際等において一時的に格納する。
【００２１】
画像信号処理部３５は、後述する撮像素子から制御回路２３が取り込んだ画像信号に対する各種処理を実行するＤＳＰからなる。圧縮符号化／伸長復号化部３６は、この画像信号処理部で処理された画像データを記録時には伸長処理し、記録した画像データを再生する際には伸長復号化する。静止画／動画画像メモリ３７は、シャッターキー１０の操作により撮像された画像データ（静止画データ、動画データ）を記録保存する。外部メモリインタフェース３８は、着脱自在な外部メモリ４１に接続されている。外部Ｉ／Ｏインターフェース３９は、ＬＡＮ通信ＩＦ４２を介してＬＡＮコネクタ４３に接続され、ＵＳＢ通信ＩＦ４４を介してＵＳＢコネクタ４５に接続されているとともに、コネクタ４６に接続されている。電源制御ブロック４０には、電池４７と充電制御ブロック４８とが接続されており、これら電池４７と充電制御ブロック４８からの電力は電源制御ブロック４０および制御回路３１を介して各部に供給される。
【００２２】
さらに、制御回路３１には、表示駆動ブロック４９、焦点制御ブロック５０、ズーム制御ブロック５１、絞り制御ブロック５２、シャッター制御ブロック５３、Ａ／Ｄ回路５４、タイミング制御＆ドライバ５５、測光／露出制御ブロック５６、測距制御ブロック５７、およびフラッシュ制御ブロック５８が接続されている。表示駆動ブロック４９は、前記光学ファインダー２２から視認可能な位置に配置され透光性を有する情報表示部５９を駆動する。焦点制御ブロック５０は、被写体像を合焦させるべく撮像レンズ３を駆動するレンズ駆動ブロック６０を制御し、ズーム制御ブロック５１は、ズームレバー１１の操作に応じて被写体像を拡大又は縮小すべく撮像レンズ３を駆動するレンズ駆動ブロック６１を制御する。
【００２３】
絞り制御ブロック５２は、撮像レンズ３と撮像素子６４との間に配置された絞り６２を制御し、シャッター制御ブロック５３は、絞り６２と撮像素子６４との間に配置されたシャッター６３を制御する。Ａ／Ｄ回路５４は、ＣＤＳ／ＡＧＣ６５を介して撮像素子６４より入力されるアナログ画像信号をデジタル信号に変換する。タイミング制御＆ドライバ５５は、タイミング信号を発生してＣＣＤからなる撮像素子６４とＣＤＳ／ＡＧＣ６５とを駆動する。ＣＤＳ／ＡＧＣ６５は、撮像素子６４から出力された撮像信号を保持するＣＤＳと、ＣＤＳから撮像信号を供給されるアナログアンプであるゲイン調整アンプ（ＡＧＣ）とからなる。
【００２４】
測光／露出制御ブロック５６は、前記測光部４と測距センサー部８との各々配置された測光、測距センサ６６を制御するとともに、この測光、測距センサ６６からの測光信号を処理して制御回路３１に入力し、測距制御ブロック５７は測距信号を処理して制御回路３１に入力する。フラッシュ制御ブロック５８は、フラッシュ／ストロボ６８を駆動するフラッシュ駆動ブロック６７を制御し、フラッシュ／ストロボ６８は前記ストロボ部７内に配置されている。
【００２５】
一方、ＡＣアダプタ５００は、ＡＣ電源に接続されるプラグ５０１、整流回路５０２、平滑回路５０３、安定化回路５０４およびこの安定化回路５０４に接続されたＤＣ入力コネクタ５０４を有し、ＤＣ入力コネクタ５０４は前記充電制御ブロック４８に着脱自在である。つまり、電池４７は充電可能であって、ＤＣ入力コネクタ５０４を充電制御ブロック４８に接続することにより、電源制御ブロック４０を介して電池４７に充電がなされるように構成されている。
【００２６】
以上の構成に係る本実施の形態において、制御回路３１は前記プログラムに基づき、図５および図６に示す一連のフローチャートに従って処理を実行する。先ず、前記モードダイアル１９の操作により撮影モードが設定されているか否かを判断する（ステップＳ１０１）。撮影モードが設定されていない場合には、さらに設定モードが設定されたか否かを判断し（ステップＳ１０２）、撮影モードと設定モードのいずれも設定されていない場合には、その他のモード処理を実行する（ステップＳ１０３）。
【００２７】
また、ステップＳ１０２での判断の結果、設定モードが設定されたならば、さらにカーソルキー１６とＳＥＴキー１７との操作により、利用ファインダーの設定が選択されたか否かを判断する（ステップＳ１０４）。利用ファインダーの設定が選択された場合には、利用するファインダーの表示使用選択メニューを電子ファインダー２６に表示する（ステップＳ１０５）。
【００２８】
すなわち、本実施の形態においては、後述するように「プロ仕様」「ビギナー仕様」「カスタム仕様」等の各表示仕様で電子ファインダー２６に撮影情報を表示することが可能である。したがって、このステップＳ１０５では、これら「プロ仕様」「ビギナー仕様」「カスタム仕様」の表示選択メニューを表示する。引き続き、ユーザーの操作（カーソルキー１６とＳＥＴキー１７の操作）に従い、内蔵（「プロ仕様」「ビギナー仕様」）または登録済仕様（「カスタム仕様」）の中から利用するファインダー仕様、表示様式等を選択してＲＡＭに記憶させることにより、利用するファインダーの仕様を設定する（ステップＳ１０６）。
【００２９】
また、ステップＳ１０４での判断の結果、利用ファインダーの設定でない場合には、ファインダーのカスタム仕様の登録であるか否かを判断する（ステップＳ１０７）。ファインダーのカスタム仕様の登録である場合には、カスタム仕様の登録メニューを表示する（ステップＳ１０８）。そして、ユーザーがＬＡＮコネクタ４３またはＵＳＢコネクタ４５に外部機器を接続させると、ＬＡＮ通信ＩＦ４２またはＵＳＢ通信ＩＦ４４および外部Ｉ／Ｏインターフェース３９を介して、新規ファインダー仕様、外部入力仕様を入力させ（ステップＳ１０９）、この入力したカスタム仕様をカスタム仕様データとして制御回路３１のＲＡＭに登録する（ステップＳ１１０）。なお、ステップＳ１０７での判断の結果、ファインダーのカスタム仕様の登録でない場合には、その他の設定処理を行う（ステップＳ１１１）。
【００３０】
一方、ステップＳ１０１での判断の結果、撮影モードが設定されている場合には、測光処理、ＷＢ処理（ステップＳ１１２）、ＡＦ、ズーム処理（ステップＳ１１３）を実行した後、電子ファインダー消灯キー２５が操作されて電子ファインダー２６の消灯が指示されたか否かを判断する（ステップＳ１１４）。消灯が指示された場合には、電子ファインダー２６の表示を消灯し（ステップＳ１１５）、これにより図７（Ｅ）に示すように、電子ファインダー２６は表示なしの状態となる。したがって、この場合ユーザーは、光学ファインダー２２で被写体を視認しつつ撮影を行うこととなる。
【００３１】
また、電子ファインダー２６の消灯が指示されなかった場合には、一般ファインダー表示が選択されたか否かを判断する（ステップＳ１１６）。一般ファインダー表示が選択されなかった場合には、撮像素子６４上に結像されている被写体像を撮像スルー画像として電子ファインダー２６に表示させた後（ステップＳ１１７）、前述のステップＳ１０６で利用するファインダーの仕様として設定された該当ファインダーの表示様式など仕様データを読み出す（ステップＳ１１８）。さらに、この読み出したユーザーが予め設定した仕様が「プロ仕様」「ビギナー仕様」「カスタム仕様」のいずれであるかを判断する（ステップＳ１１９、Ｓ１２１、Ｓ１２３）。
【００３２】
そして、「プロ仕様」である場合には（ステップＳ１１９；ＹＥＳ）、絞り、Ｓ速度（シャッター速度）など撮影データや設定情報を所定のプロ仕様の表示様式で、スルー画像とともに電子ファインダー２６に表示する（ステップＳ１２０）。このステップＳ１２０での処理により、図７（Ｂ）に例示するように、電子ファインダー２６にはスルー画像Ｐとともに、プロ仕様で撮影データや設定情報（本例は、露出設定のグラフ表示）が表示されることとなる。
【００３３】
また、ユーザーが予め設定した仕様が「ビギナー仕様」である場合には（ステップＳ１２１；ＹＥＳ）、撮影データや設定情報を所定のビギナー仕様の表示様式で、撮像スルー画像とともに電子ファインダー２６に表示する（ステップＳ１２２）。また、ユーザーが予め設定した仕様が「カスタム仕様」である場合には（ステップＳ１２３；ＹＥＳ）、撮影データや設定情報を、前記ステップＳ１１０で登録したカスタム仕様の表示様式で、スルー画像とともに電子ファインダー２６に表示する（ステップＳ１２４）。このステップＳ１２４での処理により、図７（Ｂ）に例示したように、電子ファインダー２６にはスルー画像Ｐととともに、カスタム仕様で撮影データや設定情報（本例は、露出設定のグラフ表示）が表示されることとなる。
【００３４】
他方、ステップＳ１１６での判断で一般ファインダー表示が選択されている場合には、撮像スルー画像を電子ファインダー２６に表示させた後、データ表示ＯＮキー２４の操作によるデータ表示ＯＮが指示がなされたか否かを判断する（ステップＳ１２６）。データ表示ＯＮ指示がない場合には、ステップＳ１２７〜Ｓ１２９の処理を行うことなく、図６のステップＳ１３０に進む。したがって、この場合には、図７（Ｄ）に示すように、電子ファインダー２６には撮影データ表示等がなされず、スルー画像Ｐのみが表示されることととなる。
【００３５】
しかし、データ表示ＯＮキー２４の操作によるデータ表示ＯＮが指示がなされた場合には、撮影条件などの撮影データや設定情報をスルー画像とともに表示する（ステップＳ１１２７）。このステップＳ１２７での処理により、図７（Ａ）に例示したように、電子ファインダー２６にはスルー画像Ｐとともに、通常のファインダー表示（データ表示付きのファインダー表示）がなされることとなる。
【００３６】
引き続き、ヒストグラム表示ＯＮキー２３の操作によるヒストグラム表示ＯＮが指示がなされか否かを判断する（ステップＳ１２８）。ヒストグラム表示ＯＮが指示された場合には、画像の輝度分布をヒストグラムとして表示する（ステップＳ１２９）。このこのステップＳ１２９での処理により、図７（Ｃ）に例示したように、電子ファインダー２６にはスルー画像Ｐとともに、ヒストグラム＋データ表示付きのファインダー表示がなされることとなる。
【００３７】
なお、本実施の形態においてはこのように、予めユーザーにより設定された仕様で撮影データや設定情報を表示するようにしたが、図７に示したように、ＤＩＳＰキー１３に対するワンタッチ操作に応じて、
（Ａ）通常のファインダー表示：データ表示付きのファインダー表示
（Ｂ）プロ仕様／カスタム仕様のファインダー表示
（Ｃ）ヒストグラム＋データ表示付きのファインダー表示
（Ｄ）データ表示無しのファインダースルー画像のみ表示
（Ｅ）電子表示なし（消灯）
と順次表示切り替えを行うようにしてもよい。
【００３８】
他方、図５のフローチャートに続く図６のフローチャートにおけるステップＳ１３０では、シャッターキー１０が全押しされて撮影指示がなされたか否かを判断する（ステップＳ１３０）。撮影指示がなされない場合には、絞りキー２０またはシャッター速度キー２１が操作されたか否かを判断する（ステップＳ１３１）。操作された場合には、ユーザー操作に従い、絞り／速度（シャッター速度）の設定値を変更し（ステップＳ１３２）、この変更した設定値に応じたアドバイス情報を表示する（ステップＳ１３３）。
【００３９】
すなわち、図８に例示するように、ビギナー仕様またはカスタム仕様のファインダ表示（絞り優先ＡＥ）が（１Ｂ）であるとし、この（１Ｂ）の状態で絞りキー２０が操作された場合には、（１Ｃ）に示すように、絞り値を変更するとともに、「絞っているので、広い範囲にピントが合います。背景にも被写体にもピントを合わせる撮影に適しています。」なるアドバイス情報を表示するとともに、サンプル画像ＳＰを表示する。また、ビギナー仕様またはカスタム仕様のファインダ表示（速度優先ＡＥ）が（２Ｂ）であるとし、この（２Ｂ）の状態でシャッター速度キー２１が操作された場合には、（２Ｃ）に示すように、シャッター速度を変更するとともに、「シャッタースピードを速くすると、動きのある被写体を静止させて撮影するのに適しています。」なるアドバイス情報を表示するとともに、サンプル画像ＳＰを表示する。さらに、ビギナー仕様またはカスタム仕様のファインダ表示（マニュアル露出）が（３Ｂ）であるとし、この（３Ｂ）の状態で絞りキー２０とシャッター速度キー２１が操作された場合には、（３Ｃ）に示すように、絞り値とシャッター速度を変更するとともに、「絞っているので、広い範囲にピントが合います。背景にも被写体にもピントを合わせる撮影に適しています。」なるアドバイス情報を表示するとともに、サンプル画像ＳＰを表示する。
【００４０】
また、ステップＳ１３１での判断で、絞りキー２０またはシャッター速度キー２１が操作されなかった場合には、ファインダ切替キーとしてのＳＥＴキー１７が操作されたか否かを判断する（ステップＳ１３４）。ファインダ切替キー（ＳＥＴキー１７）が操作された場合には、利用ファインダーの中で、ファインダー表示を切り替える（ステップＳ１３５）。
【００４１】
したがって、ビギナー仕様またはカスタム仕様のファインダ表示（絞り優先ＡＥ）が（１Ｂ）であるとし、この（１Ｂ）の状態でＳＥＴキー１７が操作された場合には、（１）に示す表示状態となり、また、ＳＥＴキー１７の操作毎に（１）と（１Ｂ）の表示とが切り替わる。また、ビギナー仕様またはカスタム仕様のファインダ表示（速度優先ＡＥ）が（２Ｂ）であるとし、この（２Ｂ）の状態でＳＥＴキー１７が操作された場合には、（２）に示す表示状態となり、また、ＳＥＴキー１７の操作毎に（２）と（２Ｂ）の表示とが切り替わる。さらに、ビギナー仕様またはカスタム仕様のファインダ表示（マニュアル露出）が（３Ｂ）であるとし、この（３Ｂ）の状態でＳＥＴキー１７が操作された場合には、（３）に示す表示状態となり、また、ＳＥＴキー１７の操作毎に（３）と（３Ｂ）の表示とが切り替わる。
【００４２】
また、ステップＳ１３４での判断の結果、ファインダ切替キーとしてのＳＥＴキー１７が操作されなかった場合には、モードダイアル１９が操作されたか否を判断する（ステップＳ１３６）。操作された場合には、各モードなど、撮影モードを切り替える（ステップＳ１３７）。したがって、このステップＳ１３７での処理により、図８に示したように、
（１）絞り優先ＡＥの撮影モード（Ａ）
（２）速度優先ＡＥの撮影モード（Ｓ）
（３）マニュアル露出設定の撮影モード（Ｍ）
と切り替わることとなる。
【００４３】
一方、前記ステップＳ１３０で、シャッターキー１０が全押しされて撮影指示がなされたと判断された場合には、測光、ＷＢ処理（ステップＳ１３８）、設定撮影条件での撮影処理（ステップＳ１３９）により、シャッターキー１０が全押し操作に伴って撮像素子６４から画像バッファメモリ３４に取り込まれた撮像画像に対する処理を行い、この撮像画像を符号化し、画像データとして画像メモリ３７または外部メモリ４１に記録する（ステップＳ１４０）。引き続き、その他のキー処理、および表示処理を実行した後（ステップＳ１４１）、図６のステップＳ１０１に戻る。
【００４４】
（第２の実施の形態）
図９〜図２４は、本発明の第２の実施の形態を示すものである。この実施の形態においては、前記制御回路３１のＲＯＭに、第１テーブル３１１（図９）、第２テーブル３１２（図１０）および第３テーブル３１３（図１１）が予め記憶されている。
【００４５】
第１テーブル３１１（図９）は、ＩＳＯ１００の場合における露出量ＥＶ値を求める際に使用されるテーブルであって、露出量ＥＶ値と、露出時間（秒）と絞り（Ｆナンバー）との関係は、露出時間Ｔを第１テーブル３１１のＴｖ値に変換し、絞り（Ｆ）をＡｖ値に変換すると、
ＥＶ＝Ａｖ＋Ｔｖ
から求まる。
【００４６】
なお、直接求める場合には、
ＥＶ≒ｌｏｇ２（Ｆ）２＋ｌｏｇ２（１／Ｔ）
＝２×ｌｏｇ２Ｆ−ｌｏｇ２Ｔ
＝２×（ｌｏｇ１０Ｆ／ｌｏｇ１０２）−（ｌｏｇ１０Ｓ／ｌｏｇ１０２）
したがって、
２ｌｏｇ２Ｆ＝ＥＶ＋ｌｏｇ２Ｔ
Ｆ＝２∧{ＥＶ＋ｌｏｇ２Ｔ／２}
＝２∧{（ＥＶ＋ｌｏｇ１０Ｔ／ｌｏｇ１０２）／２}
また、
ｌｏｇ２Ｔ＝２ｌｏｇ２Ｆ−ＥＶ
Ｔ＝２∧{２ｌｏｇ２Ｆ−ＥＶ}
＝２∧{２×ｌｏｇ１０Ｆ／ｌｏｇ１０２−ＥＶ
【００４７】
第２テーブル３１２（図１０）は、絞り優先ＡＥとシャッター優先ＡＥとのテーブルであり、測光、測距センサ６６の測光値から、例えば必要な露出量がＥＶ値＝１０のとき、
ａ）絞り優先ＡＥで、絞り設定＝Ｆ５０６とすると、シャッター速度＝１／３０（秒）に、
ｂ）シャッター速度優先ＡＥで、シャッター速度設定１／１２５とすると、絞り２．６に、
それぞれ他方が自動的に決定される。
【００４８】
第３テーブル３１３（図１１）は、プログラム絞り優先ＡＥ制御のプログラム線図であり、実線イは標準レンズ（ｆ５０ｍｍ／Ｆ１．４）使用時のプログラム線図であり、点線ロは望遠レンズ（ｆ１８０ｍｍ／Ｆ２．８）のプログラム線図である。したがって、例えば必要な露出値（ＥＶ値）＝１２のとき、標準レンズ使用時には、絞り＝Ｆ５．６、シャッター速度１／１２５秒の組合せに、自動的に決定される。また、望遠レンズ使用時には、ＥＶ値＝１２のとき、絞り＝Ｆ４、シャッター速度１／２５０秒の組合せに、自動的に決定される。
【００４９】
以上の構成に係る本実施の形態において、制御回路３１は前記プログラムに基づき、図１２および図１３に示す一連のフローチャートに従って処理を実行する。先ず、前記モードダイアル１９の操作により撮影モードが設定されているか否かを判断する（ステップＳ２０１）。撮影モードが設定されていない場合には、その他のモードに移行する（ステップＳ２０２）。
【００５０】
また、撮影モードが設定されている場合には、レンズ駆動ブロック６０、６１、撮像素子６４を含む撮像部を初期設定し、測光、測距センサ６６を含む測光部、測距部を起動するとともに、フラッシュ駆動ブロック６７の充電を起動させる（ステップＳ２０３）。さらに、測光処理、ＷＢ設定処理（ステップＳ２０４）、測距処理（ステップＳ２０５）、オートフォーカス、ズーム処理（ステップＳ２０６）を実行した後、モードダイアル１９の操作により絞り優先ＡＥが設定されているか否かを判断する（ステップＳ２０７）。設定されている場合には、ＭＥＮＵキー１８等の操作によりユーザーが入力した絞り値Ｆ（またはＡｖ値）を設定する（ステップＳ２０８）。さらに、測光した必要露出量ＥＶと設定絞り値Ａｖを元に最適なＴｖ値（Ｔｖ＝ＥＶ−Ａｖ等）に対応するシャッター速度Ｔに設定する（ステップＳ２０９）。
【００５１】
また、ステップＳ２０７での判断の結果、絞り優先ＡＥでない場合には、シャッター速度優先ＡＥであるか否かを判断する（ステップＳ２１０）。シャッター速度優先ＡＥである場合には、ユーザーが入力したシャッター速度Ｔ（またはＴｖ値）を設定する（ステップＳ２１１）。さらに、必要露出量ＥＶと設定シャッター速度Ｔｖを元に最適なＡｖ値（Ａｖ＝ＥＶ−Ｔｖ等）に対応する絞り値Ｆに設定する（ステップＳ２１２）。
【００５２】
また、ステップＳ２１０での判断の結果、シャッター速度優先ＡＥでない場合には、被写界深度優先ＡＥであるか否かを判断する（ステップＳ２１３）。被写界深度優先ＡＥである場合には、ユーザーが入力した被写界深度幅Ｚまたは被写界深度限界近点、遠点（Ｌｍｉｎ，Ｌｍａｘ）を設定する（ステップＳ２１４）。さらに、焦点距離ｆ、撮影距離Ｌ、設定被写界深度Ｚまたは近点、遠点に近い被写界深度を実現する絞りＦを算出し（ステップＳ２１５）、必要露出量ＥＶと求めた絞り値Ｆとから最適なシャッター速度Ｔに設定する（Ｔｖ＝ＥＶ−Ａｖ）（ステップＳ２１６）。さらに、電子ファインダー２６に設定条件による被写界深度または近点、遠点、合焦距離範囲等を表示する（ステップＳ２１７）。なお、このステップＳ２１７における被写界深度または近点、遠点、合焦距離範囲等の電子ファインダー２６の表示形態については、後述する第３の実施の形態において例示する。
【００５３】
また、ステップＳ２１３での判断の結果、被写界深度優先ＡＥでない場合には、マニュアル露出であるか否かを判断する（ステップＳ２１８）。マニュアル露出である場合には、ユーザーが入力した絞り値Ｆ（またはＡｖ値を）を設定し（ステップＳ２１９）、さらに、入力したシャッター速度Ｔ（またはＴｖ値）を設定し（ステップＳ２２０）、必要露出量ＥＶとの過不足（ＥＶ−（Ａｖ＋ＴＶ））等を算出して表示する（ステップＳ２２１）。なお、このステップＳ２２１の表示例については後述する。
【００５４】
また、ステップＳ２１８での判断の結果、マニュアル露出でない場合には、プログラムＡＥまたはベストショットであるか否かを判断する（ステップＳ２２２）。プログラムＡＥまたはベストショットである場合には、該当プログラムＰを設定し（ステップＳ２２３）、プログラムＰの内容またはプログラム線図等を電子ファインダー２６に表示する（ステップＳ２２４）。このステップＳ２２４での処理により、電子ファインダー２６に例えば前述の図１１に示した第３テーブル３１３と同様の表示がなされる。引き続き、測光した露出量ＥＶと設定プログラムまたは線図を元に、絞り値とシャッター速度との組合せ、その他の撮影条件をＡｖ＝ＰＡ（ＥＶ）、Ｔｖ＝ＰＴ（ＥＶ）等により自動設定する（ステップＳ２２５）。
【００５５】
他方、図１２のフローチャートに続く図１３のフローチャートにおけるステップＳ２２６では、±露出補正があるか否かを判断し（ステップＳ２２６）、±露出補正がある場合には、ユーザーが入力した±露出補正に従い、絞り値Ｆまたはシャッター速度Ｔ等を補正設定する。次に、予めユーザーにより設定されたファインダー表示使用がプロ使用ファインダーであるか否かを判断する（ステップＳ２２８）。プロ仕様ファインダーである場合には、絞り、シャッター速度の設定値、および、基準露出量との関係図式グラフ等を、設定様式にて、撮像スルー画像やその他撮影情報とともに電子ファインダー２６に表示する（ステップＳ２２９）。また、プロ仕様ファインダーではなくビギナー仕様ファインダーである場合には、絞り、シャッター速度の設定値を一般ファインダーの所定の様式にて、撮像スルー画像やその他撮影情報とともに電子ファインダー２６に表示する（ステップＳ２３０）。なお、このステップＳ２２９及びステップＳ２３０の表示例については後述する。
【００５６】
次に、シャッターキー１０が全押しされて撮影指示がなされたか否かを判断する（ステップＳ２３１）。撮影指示がなされない場合には、その他のキー処理（ステップＳ２３６）、その他の表示処理（ステップＳ２３７）を実行する。また、前記ステップＳ２３１で、シャッターキー１０が全押しされて撮影指示がなされたと判断された場合には、測光、ＷＢ処理を行うとともに（ステップＳ２３２）、測光値と設定撮影条件に従って画像を撮影する（ステップＳ２３３）。このステップＳ２３３での処理により、シャッターキー１０が全押し操作に伴って撮像素子６４から画像バッファメモリ３４に取り込まれた撮像画像に対する処理が実行されて、画像データが画像バッファメモリ３４に一時的に記憶される。さらに、この撮影した画像を電子ファインダー２６に一時的に表示した後（ステップＳ２３４）、撮影した画像データを符号化して画像メモリ３７または外部メモリ４１に記録する（ステップＳ２３７）。
【００５７】
図１４〜図１７は、前記ステップＳ２２１における電子ファインダー２６の表示例を示す図である。図１４に示した表示例１は、最適値（推奨値）の表示を行うものであり、電子ファインダー２６に、スルー画像Ｐを表示し、ユーザが設定した絞り値の設定値２６１及びシャッター速度の設定値２６２を表示するとともに、シャッター速度の設定値２６２に対応する最適露出の絞り値２６３を表示する。これにより、ユーザーは設定露出値が絞りすぎであるか、露出アンダーであるかを一見して判断することができる。
【００５８】
図１５に示した表示例２は、絞り（Ａｖ）とシャッター速度（Ｔｖ）と露出（ＥＶ）との、Ａｖ＋Ｔｖ＝ＥＶとなる加減算の関係を、積み木ブロックで表示するものであり、絞り値とシャッター速度の組合せにより設定露出量が、必要な露出ＥＶよりも大きいか小さいかを、簡単に比較して設定することできる。
【００５９】
図１６に示した表示例３は、計算尺式の表示例であり、Ｔ（Ｔｖ）のシャッター速度スケール２６４と、ＥＶの露出値スケール２６５とを連結し、これらとは逆順の目盛を振った絞り値スケール２６６をスライドするように表示する。測光値に基づく露出値ＥＶが、絞り値スケール２６６のＦスケールにおいける「△」に合わせて表示されると、絞り値スケール２６６の絞り目盛に対向するシャッター速度スケール２６４の露光時間は、いずれの組合せもＡｖ＋Ｔｖ＝ＥＶの適正な露出条件となるので、その中から所望の設定値の組合せを選んで設定することができる。
【００６０】
図１７に示した表示例４は、測光した露出値ＥＶに対して最適露出条件となるシャッター速度Ｔと絞り値Ｆとの組合せを平行に対向して表示し、設定値同士を結ぶ指針は最適な露出条件では水平（点線）となる。どちらかでの設定値を変えて設定する（実線）と、適正な露出条件でない組合せでは傾いて表示されるので、最適露出との違いが直ぐにわかる。最適露出にしたい場合は、指針２６７が水平になるように操作すればよい。また、＋１．０露出補正する場合には、絞り値Ｆを開放側に１段移動し、指針２６７が１段右上がりに傾くように設定すればよい。この表示例４によれば、設定値間の関係が直感的にわかり、目盛の数値を読み取らなくても、指針２６７の傾きを確認すればわかるので、マニュアル露出等でも、簡単かつ迅速に、誤りなく適正露出を設定することができる。
【００６１】
図１８〜図２４は、前記ステップＳ２２９またはステップＳ２３０における電子ファインダー２６の表示例を示す図である。図１８に示した表示例１は、交差グラフ表示によるものであり、アペックスのＥＶ値換算表を、ＸＹ座標のような目盛と、３本の交差する指針（絞り値線）２６８と、指針（シャッター速度線）２６９、指針（露出値線）２７０で表示する。絞り値Ａｖの水平な指針２６８と、シャッター速度Ｔｖの垂直な指針２６９と、露出値ＥＶの斜めの指針２７０との、３本の指針２６８、２６９、２７０が一点で交差する設定値は、いずれも適正な露出条件となるので、３本の指針２６８、２６９、２７０が一点で交わるように、ＡｖやＴｖを操作して設定すればよい。したがって、同図（ａ）に示すように絞り＝Ｆ２．８、露出値＝１０ＥＶのときシャッター速度＝１／３０秒が設定され、同図（ｂ）に示すように露出値が２段上がると、２段速いシャッター速度１／１２５秒に設定されることとなる。
【００６２】
この表示例１によれば、適正な露出条件簡単に設定することができかつ標準露出条件との違いが一目でわかる。また、特公平６−５２３６７号公報には、プログラム線図をドットブロックを連結して表示する例が記載されているが、この例では操作部の表示には有効でも、ファインダーに表示する場合には、視野を大きく遮るので好ましくない。しかし、本例では僅かな座標目盛と指針とで表示するので、ファインダーの中の視野をあまり遮ることはない。また、座標目盛がファインダーの内において視覚的に邪魔である場合には、３本の指針２６８、２６９、２７０と設定値だけを、スルー画像Ｐに重ねて表示するようにしてもよい。また、設定値のいずれを水平、垂直、斜めの座標や指針に割り当ててもよい。
【００６３】
図１９に示した表示例２は、円周と放射角度と螺旋による交差グラフ表示によるものである。すなわち、極座標や円グラフ、あるいは、メーターのような円状の表示とし、絞り値Ｆは外周から中心方向に増える目盛で、絞るほえお小さくなる円形の指針（絞り線）２７１で表し、シャッター速度Ｔは中心から放射状に伸びた指針（シャッター速度線）２７２の角度で表し、最適な露出条件となる露出値ＥＶは、中心から外周に螺旋状に周り、絞りとシャッター速度の目盛の交点を結ぶ曲線（露出値線）２７３で表す。したがって、同図（ａ）に示すように絞り＝Ｆ２．８、露出値＝１０ＥＶのときシャッター速度＝１／１２５秒が設定され、同図（ｂ）に示すように露出値＝８ＥＶに変わると、シャッター速度Ｔ＝１／３０秒に設定される。また、同図（ｃ）に示すよう絞りＦ４に絞ると、シャッター速度Ｔ＝１／１５秒に設定される。なお、他の座標や棒グラフ折線グラフやドーナッツグラフ等、他の図式表現を用いてもよい。
【００６４】
図２０に示した表示例３は、指針が固定で目盛側が回転表示としたものである。すなわち、中央指針２７４を固定表示とし、設定値を回転目盛２７５の回転で表示する。したがって、同図（ａ）に示すように絞り＝Ｆ５．６、露出値＝１０ＥＶのときシャッター速度＝１／３０秒が設定され、同図（ｂ）に示すように露出値＝８ＥＶに変わると、シャッター速度Ｔ＝１／１５秒に設定される。また、同図（ｃ）に示すよう絞りＦ１１にすると、シャッター速度Ｔ＝１／８秒に設定される。この表示例３によれば、読み取る位置が常に同じであるので視線を移動する必要がなく、スルー画像Ｐの観察に集中することができ、撮影への影響がない。
【００６５】
図２１に示した表示例４は、プログラム線図による表示としたものである。すなわち、図１８（ａ）で説明した３本の交差する指針（絞り値線）２６８と、指針（シャッター速度線）２６９、指針（露出値線）２７０に加え、プログラム線図２７６を線表示し、露出値ＥＶの指針２７０とプログラム線図２７６との交点に該当する絞り値Ｆとシャッター速度Ｔの設定値の組が自動設定されるようにしてある。また、マニュアル露出や、絞り優先ＡＥモード等でも、プログラムＡＥでの設定値の組合せやプログラム線図を表示して、それらを参照しながら、ユーザーが任意に設定できるようにしてもよい。
【００６６】
図２２に示した表示例５は、±露出補正の表示（ＥＶ補正）をする場合もわかり易く表示する例である。すなわち、カメラ内蔵の露出計や、１８％グレイを基準に測光する反射露出計による測光に基づく露出では、本当に明るいまたは暗い被写体でも、グレイがかって写ってしまう場合があり、白い被写体は白く写るように＋露出補正したり、黒い被写体は黒く写るように−露出補正するなど、標準露出値よりも±３段〜２段くらい、露出オーバーや露出アンダーに補正して撮影する場合がある。そこで本例では、測光値による標準露出値を水平の指針（点線）２７１で表示し、補正した設定値を別の色や異なる指針（実線）２７２で同時に表示するようにしたものである。
【００６７】
図２３に示した表示例６は、目盛回転表示により露出補正表示を行うようにした例である。すなわち、前述のように、白い被写体は白く写るように＋露出補正したり、黒い被写体は黒く写るように−露出補正するなど、標準露出値よりも±３段〜２段くらい、露出オーバーや露出アンダーに補正して撮影する場合がある。そこで本例では、水平に固定の指針（点線）２７１で表示し、二重の円周上に絞り目盛２７３とシャッター速度目盛３０１とを回転表示する。±ＥＶ露出補正する場合は、±補正方向に傾いた指針（実線）２７２を表示し、これにより露出補正値を読み取ることができる。
【００６８】
図２４に示した表示例７は、露出設定の表示に加えて、スポット測光した複数の測光値をポイント毎に制御回路３１のＲＡＭに記憶して、最初に測光した基準測光ポイントに基づいて測光値を設定し、かつ、各スポット測光値の基準ポイントとの輝度差ΔＢｖ値（あるいは、それに相当するΔＥＶ値）を、ファインダーの視野のスルー画像Ｐに重ねて、ポイントマークＭと輝度差の数値とで表示するものである。図において、２７５は絞り値目盛、２７６は各ポイントマークＭにおけるスポット測光値、２７７はシャッター目盛、２７８は基準露出値±３．０ＥＶを超えるスポット（白飛びや黒つぶれして写る）、２７９はスポット測光値のメモリリー（基準露出値±３．０以内の範囲が適正に撮影できるとした場合）、２８０は基準露出と絞り、シャッター速度の組合せを示す指針である。したがって、本例によれば、階調よく写せるといわれる「輝度差が、基準ポイントの露出値±約２．５〜３．０ＥＶ以内」のポイントを例えば青（ＯＫ）で表示し、「白飛び」や「黒つぶれ」して写ってしまう「輝度差が、基準ポイントの露出値＋約２．５〜３．０ＥＶを超える、または露出値−約２．５〜３．０ＥＶ未満」のポイントを例えば赤（ＮＧ）で表示することにより、全体が階調よく写るのか、どこが「白飛び」や「黒つぶれ」するのかを容易に判断することができる。
【００６９】
なお、図２４に示した表示例７のスポット測光では、ハイライト部の階調を重視し、白飛びしないように再現する「ハイライト基準露出」で撮影したような場合は、ハイライトで写したい所を最初に基準露出値としてスポット測光し、デジタルカメラ１の本体２に予め設けておいたハイライト基準ボタンを押すか、または、露出設定をダイナミックレンジの＋側８割程度（基準露出＋２．０〜２．５ＥＶ程度）、露出オーバー側に補正して（絞りを２．０〜２．５段開いて）撮影すればよい。逆に、シャドー部の階調を重視して、黒つぶれしないように再現する「シャドー基準露出」で撮影したい場合は、黒っぽく写したい所を基準露出値としてスポット測光し、デジタルカメラ１の本体２に予め設けておいたシャドー基準ボタンを押すか、または、露出設定を−側９割程度に（基準露出値−２．３〜−２．７ＥＶ程度）、露出アンダー側に補正して（絞りを２．３〜２．７段絞って）撮影すればよい。このように、露出補正と同様の操作で、ハイライト基準露出、シャドー基準露出での撮影を行うことができる。
【００７０】
また、前述のように、図１８〜図２４に示した表示例１〜７は、前記ステップＳ２２９またはステップＳ２３０における電子ファインダー２６の表示例を示すものであるが、いずれの表示例をステップＳ２２９のプロ用表示仕様とするかステップＳ２３０のビギナー用表示仕様とするかは、当該デジタルカメラ１の設計時に適宜選択されることとなる。このとき、より簡易な表示形態のものがビギナー用として選択されることが好ましい。
【００７１】
（第３の実施の形態）
図２５〜図２９は、本発明の第３の実施の形態を示すものである。制御回路３１は前記プログラムに基づき、図２５に示すフローチャートに従って処理を実行する。先ず、ズーム処理及びオートフォーカス処理を実行し、ズームレバー１１の操作に応じて被写体像を拡大又は縮小すべく撮像レンズ３を駆動するとともに、被写体像を撮像素子６４上に結像させる（ステップＳ３０１）。次に、図２６に示したように、フォーカス点でのレンズ焦点距離ｆから、と撮像素子６４の画像面における横サイズであるイメージサイズ（または位置）Ｙ′に相当する画角θを下記式にて換算する（ステップＳ３０２）。
画角θ＝２×ｔａｎ−１（Ｙ′／２ｆ）
【００７２】
次に、像サイズ、位置を下記式にて表示サイズ、表示座標に変換する（ステップＳ３０３）。
表示座標＝タテｏｒヨコの表示画素数×像サイズＹ′／撮像素子サイズ
【００７３】
さらに、画角θ、または、画角スケールを、撮像スルー画像とともに電子ファインダー２６に表示する（ステップＳ３０４）。図２７は、このステップＳ３０４での処理による電子ファインダー２６の表示例を示すものであり、電子ファインダー２６にはスルー画像Ｐとともに、画角スケール２８１、被写体距離２８２、ズーム倍率２８３、焦点距離２８４、側長用換算スケール２８５を表示させる。
【００７４】
この表示例は、撮像素子６４として約１／２．７型ＣＣＤ（横５．２７×縦３．９５、対角６．５９ｍｍ）と、焦点距離約２０ｍｍのレンズで、橋を約１３００ｍの距離から撮影した例である。このとき、画角θ＝２ｔａｎ−１（Ｙ′／２ｆ）より、視野一杯の画角は、２×ｔａｎ−１（横５．２７／２×２０）＝約１５度となり、図中の円弧状の画角スケール２８１は、それぞれ１０°、８°、６°、４°、２°に相当する。また、このとき、橋までの距離＝約１３００ｍとすると、Ｙ＝Ｙ′×Ｌ／ｆより換算して、視野一杯の被写体範囲Ｙは、１３００ｍ地点では、およそ横３４２ｍ×縦２５６ｍとなり、図のように、縦横の長さや高さに換算して側長用スケールとして表示できる。この例では、橋の高さは水面から約１２０ｍほどであることが確認できる。また、逆に、長さが既知の被写体を遠くから眺めて、側長用スケールと照合することで、被写体との距離を逆算することもできる。
なお、撮影距離Ｌは、測距センサー部８で測定した距離を用いることとなるが、遠方の場合はユーザーが入力した概算距離を用いるようにしてもよい。
【００７５】
図２８及び図２９は、本実施の形態のステップＳ３０４における他の表示例を示すものであり、この表示例においては画角の換算目盛２８６と画角に相当する距離換算目盛２８７とを表示する。この表示例の場合には、ステップＳ３０２において括弧書きで示したように下記式で目盛単位毎の画角θｉに相当する像サイズＹ′ｉを逆算する。
逆算Ｙ′ｉ＝２ｆ×ｔａｎ（θｉ／２）
しかる後に、前述のステップＳ３０３及びＳ３０４の処理を行えばよい。
【００７６】
（第４の実施の形態）
図３０〜図３３は、本発明の第４の実施の形態を示すものである。この実施の形態においては、前記制御回路３１のＲＯＭに、図３０に示す第４テーブル３１４が予め記憶されている。係る本実施の形態において、制御回路３１は前記プログラムに基づき、図３１に示すフローチャートに従って処理を実行する。先ず、測距処理を行って被写体までの距離Ｌを計測する（ステップＳ４０１）。また、ズーム処理及びオートフォーカス処理を実行し、ズームレバー１１の操作に応じて被写体像を拡大又は縮小すべく撮像レンズ３を駆動するとともに、被写体像を撮像素子６４上に結像させる（ステップＳ４０２）。次に、フォーカス点の距離Ｌと焦点距離ｆから、像サイズＹ′に相当する被写体範囲Ｙ（長さ、高さ）を下記式にて換算する。
被写体範囲Ｙ＝Ｙ′×Ｌ／ｆ
あるいは、目盛単位（図３２参照）の被写体の長さＹｉに相当する像サイズＹ′を下記式にて逆算する（ステップＳ４０３）
逆算Ｙ′ｉ＝Ｙｉ×ｆ／Ｌ
さらに、像サイズ、位置を、前記ステップＳ３０３と同様にして、表示サイズ、表示座標に変換する（ステップＳ３０４）。次に、被写体範囲Ｙ（長さｏｒ高さ）、または、被写体範囲の側長スケールを、撮像スルー画像とともに電子ファインダー２６に表示する（ステップＳ４０５）。
【００７７】
図３２は、このステップＳ４０５での処理による電子ファインダー２６の表示例を示すものである（但し、撮像スルー画像は図示省略。）。この表示例に示すように、画角のスケールを５°単位や１０°単位等の目盛で表示すると、ズーム操作時やフォーカシング時には、焦点距離の増減に従って、画角スケールの間隔うあ数値が増減変化して表示される。したがって、画角情報だけでなく、ズーム操作の遠近方向がスケール目盛の働きからも直感的にわかる、ダイナミックなズームやフォーカシング操作時のファインダー表示としてして利用することができる。しかも、図のように画角のスケールを水平、垂直のＬ字状に表示すると、あたかも車等の移動手段で移動している時に、遠くから並木や壁が、順に近づいてくるように見える場合と同様に、アニメーションのように、動きと遠近感のある表示とを行うことができる。
【００７８】
なお、図３２の表示例においては、画角のスケールを水平、垂直のＬ字状に表示ようにしたが、図３３の表示例に示すように、円グラフ的に表示するようにしてもよい。
【００７９】
（第５の実施の形態）
図３４〜図３８は、本発明の第５の実施の形態を示すものである。制御回路３１は前記プログラムに基づき、図３４に示すフローチャートに従って処理を実行する。先ず、ユーザにより入力された視線またはカメラレンズの高さｈを設定する（ステップＳ５０１）。また、ズーム処理及びオートフォーカス処理を実行し、ズームレバー１１の操作に応じて被写体像を拡大又は縮小すべく撮像レンズ３を駆動するとともに、被写体像を撮像素子６４上に結像させる（ステップＳ５０２）。次に、画角θ、視線またはカメラレンズの高さｈから、画角相当の距離Ｌを下記式にて換算する（ステップＳ５０３）。
距離Ｌ＝ｈ／ｔａｎ（θ／２）
【００８０】
これにより、図３５に示したように、画角θ１θ２θ３・・・毎に距離Ｌ１Ｌ２Ｌ３・・・が算出される（あるいは、画像サイズＹ′から、Ｙ′／２ｆ＝ｔａｎ（θ／２）であるから、Ｙ′／２ｆ＝ｈ／Ｌ、距離Ｌ＝２ｆｈ／Ｙ′としても換算できる。）
【００８１】
また、距離スケール目盛を画面上に順に表示する場合（図３６参照）には、高さｈと焦点距離とから、Ｙ′ｉ＝２ｆ×ｈ／Ｌｉ等により、目盛単位毎の距離Ｌｉに相当する像サイズＹ′ｉを逆算する（ステップＳ５０３）。さらに、画角また像サイズを、前記ステップＳ３０３と同様にして、表示サイズ、表示座標に変換する（ステップＳ５０４）。次に、画角または被写体範囲相当の距離、または、距離スケールを、撮像スルー画像とともにに電子ファインダー２６に表示する（ステップＳ５０５）。このステップＳ５０５での処理により、電子ファインダー２６には図３６に表示例（但し、撮像スルー画像は図示省略。）に示す態様で表示がなされることとなる。
【００８２】
なお、この図３６に示す表示例においては、画角と相当する距離との併用表示例を示したが、図３７の表示例に示すように、被写体範囲に相当する距離スケールを表示するようにしてもよい。また、実施の形態においては、距離Ｌを算出するようにしたが、前記制御回路３１のＲＯＭに、図３８に示す第５テーブル３１５を予め記憶させておくようにしてもよい。この第５テーブル３１５は、撮影者の視線または構えたカメラの高さｈが１．５ｍである場合における画角θに対応する被写体までの距離Ｌを記憶したものであるが、第５テーブル３１５は、図示した高さｈが１．５ｍ用のテーブルのみならず、異なる高さ毎に設けられた複数のテーブルで構成されている。したがって、設定された高さｈに対応するテーブルを用いることにより、演算を距離Ｌを得ることができる。
【００８３】
（第６の実施の形態）
図３９〜図４６は、本発明の第６の実施の形態を示すものである。本実施の形態は、プロや熟練者向けの専用ファインダー表示として、オートフォーカスやズーム操作時におけるピントがある距離を表す、被写界深度限界などの表示を設けたものである。
【００８４】
デジタルカメラでは、画像サイズがフィルムに比べ小さいので、同じ画角を得る焦点距離が短くなるため、被写界深度が深くなり、焦点ボケは気にならないことも多い。しかし、絞りを開いた時や望遠ズームなどでは、被写界深度が浅くなるので、手ブレだけでなくボケも目立つようになる。また、撮影意図や写真表現として、パン・フォーカスのように、前方から後方まで広い範囲の被写体にピントを合わせたい場合や、逆に、フォーカスした被写体にだけピントを合わせ、前景や背景はぼかしたい場合など、ピント範囲や被写界深度の選択が必要な場合がある。ところが、電子ファインダーでピントが合っているように見えても、細かなピントをファインダーの低解像度のＬＣＤ等で確認するのは難しく、撮影後に拡大表示するか、大型のモニターやプリンタ出力で確認する必要があった。
【００８５】
すなわち、図３９の焦点距離と被写界深度との関係を示す図に示すように、被写界深度はレンズの焦点距離が短くなるほど深くなる（広角になるほど、ピントが合いやすくなる）。また、図４０の距離と被写界深度との関係を示す図に示すように、被写界深度は手前に浅く、奥に深い特性がある（近くにはピントが合いにくく、遠くは合いやすくなる）。また、図４１の絞りと被写界深度との関係を示す図に示すように、被写界深度はレンズ開口（絞り）を小さくするほど深くなる（絞るほどピントが合いやすくなる）。
【００８６】
また、図４２に示すように焦点深度と被写界深度とは以下の関係にある。
一般に、焦点深度Ｚ′≒±δＦ＝２δＦ、
被写界深度Ｚ＝焦点深度内の像に対応する被写体の奥行き距離
Ｚ≒Ｚ′／Ｍ２＝２δＦ／Ｍ２、
より詳しくは、
前方被写界深度Ｔｆ＝δＦＬ２／（ｆ２＋δＦＬ）
後方被写界深度Ｔｒ＝δＦＬ２／（ｆ２−δＦＬ）
被写界深度Ｚ＝Ｔｆ＋Ｔｒ
＝δＦＬ２{１／（ｆ２−δＦＬ）＋１／（ｆ２＋δＦＬ）}
＝２δＦＬ２ｆ２／（ｆ４−δ２Ｆ２Ｌ２）
被写界深度限界近点Ｌｍｉｎ＝Ｌ−Ｔｆ＝ｆ２Ｌ／（ｆ２＋δＦＬ）
被写界深度限界遠点Ｌｍａｘ＝Ｌ＋Ｔｆ＝ｆ２Ｌ／（ｆ２−δＦＬ）
あるいは、過焦点距離Ｌ∞＝ｆ２／δＦからも被写界深度限界がもとまる。
被写界深度限界近点Ｌｍｉｎ＝（過焦点距離×撮影距離）÷（過焦点距離＋撮影距離）
＝ｆ２Ｌ／δＦＬ（ｆ２／δＦ＋Ｌ）＝ｆ２Ｌ／（ｆ２＋δＦＬ）
被写界深度限界遠点Ｌｍａｘ＝（過焦点距離×撮影距離）÷（過焦点距離−撮影距離）
＝ｆ２Ｌ／δＦＬ（ｆ２／δＦ−Ｌ）＝ｆ２Ｌ／（ｆ２−δＦＬ）
被写界深度Ｚ＝Ｌｍａｘ−Ｌｍｉｎ
＝ｆ２Ｌ／（ｆ２-δＦＬ）−ｆ２Ｌ／（ｆ２＋δＦＬ）
＝２δＦＬ２ｆ２／（ｆ４−δ２Ｆ２Ｌ２
（但し、Ｆ：絞り値、ｆ：焦点距離、Ｌ：撮影距離、Ｍ：倍率、δ：許容錯乱円の直径、δは、３５ｍｍフィルムで３０〜５０μｍ、１／３型ＣＣＤ〜１／２型ＣＣＤで１５〜２０μｍ程度）
【００８７】
そして、本実施の形態は、前記式を用いて電子ファインダー２６にスルー画像とともに、プロ用仕様のファインダー表示を行うものである。すなわち、制御回路３１は前記プログラムに基づき、プロ用仕様のファインダー表示を行う際に図４３に示すフローチャートに従って処理を実行する。先ず、測光処理を行い（ステップＳ６０１）、絞りＦ、シャッター速度Ｔなどの撮影条件を設定する（ステップＳ６０２）。さらに、測距処理を行って被写体まで距離である被写体距離Ｌを得る（ステップＳ６０３）。また、ズーム処理及びオートフォーカス処理を実行し、ズームレバー１１の操作に応じて被写体像を拡大又は縮小すべく撮像レンズ３を駆動するとともに、被写体像を撮像素子６４上に結像させる（ステップＳ６０４）。次に、レンズ焦点距離（ｆ）、測距した被写体距離（Ｌ）を入力させ、あるいは、焦点距離（ｆ）と倍率（Ｍ）からＬ＝ｆ（１＋Ｍ）／Ｍを演算して、被写体距離（Ｌ）を入力させる（ステップＳ６０５）。引き続き、焦点距離（ｆ）、被写体距離（Ｌ）、絞り値（Ｆ）等から、被写界深度（Ｚ）または被写界深度限界近点、遠点（Ｌｍｉｎ、Ｌｍａｘ）を前記式により算出する（ステップＳ６０６）。
【００８８】
しかる後に、撮像スルー画像表示に重ねて、被写界深度Ｚまたは被写界深度限界の近点、遠点、合焦距離範囲を、数値、スケール目盛、グラフィック等で電子ファインダー２６に表示する（ステップＳ６０７）。さらに、絞り値（または焦点距離や撮影距離）を現在の設定値より増減した場合の設定値と被写界深度や合焦距離範囲とを同様に、複数点、順次計算する（ステップＳ６０８）。また、絞り値（または焦点距離や撮影距離）と被写界深度や合焦距離範囲ととの関係グラフを電子ファインダー２６にプロット描画する（ステップＳ６０９）。引き続き、上記描画した関係グラフ上に、現在の絞り値や焦点距離、撮影距離、被写界深度などを設定値の指針として、区別表示する（ステップＳ６１０）。
【００８９】
図４４（ａ）、図４５（ａ）、図４６（ａ）は、前記ステップＳ６０７〜Ｓ５１０での処理による表示例１〜３を示すものである。図４４（ａ）に示す表示例１は、ｆ＝６ｍｍ、Ｆ２．８、Ｌ＝２ｍ（δ＝０．００５５ｍｍ）のとき、被写界深度Ｚ＝１２．７７ｍ（−０．９２〜＋１１．８５ｍ）、被写界深度限界＝１．０８ｍ〜１３．８５ｍ，過焦点距離Ｌ∞＝２．３４ｍの場合である。図４５（ａ）に示す表示例２は、ｆ＝１８ｍｍ、Ｆ３．２、Ｌ＝４ｍ（δ＝０．００５５ｍｍ）のとき、被写界深度Ｚ＝１．８２ｍ（−０．７１〜＋１．１１ｍ）、被写界深度限界＝３．２９ｍ〜５．１１ｍ，過焦点距離Ｌ∞＝１８．４０ｍの場合である。図４６（ａ）に示す表示例３は、ｆ＝３０ｍｍ、Ｆ３．５、Ｌ＝１０ｍ（δ＝０．００５５ｍｍ）のとき、被写界深度Ｚ＝４．４８ｍ（−１．７６〜＋２．７２ｍ）、被写界深度限界＝８．２４ｍ〜１２．７２ｍ，過焦点距離Ｌ∞＝４６．７５ｍの場合である。
【００９０】
しかして、図４４（ａ）に示したように、前記処理により電子ファインダー２６には、スルー画像Ｐとともに、焦点距離（ｆ）と絞り値（Ｆ）２８８、撮影距離目盛２８９、過焦点距離（Ｌ∞）２９０、撮影距離（Ｌ）２９１、被写界深度限界の近点、遠点２９２、絞り値３９３、これら撮影距離目盛２８９〜絞り値３９３までを示す関係グラフ２９４、合焦距離の範囲２９５、Ｌｍａｘ２９６等が表示されることとなる。また、図４４（ｂ）、図４５（ｂ）、図４６（ｂ）は、ステップＳ６０８で絞り値を現在の設定値（図４４（ａ）：Ｆ２．８、図４５（ａ）：Ｆ３．２、図４６（ａ）：Ｆ３．５）より増減した場合の設定値と被写界深度や合焦距離範囲等を表示するためのデータを示すものであり、絞り値を現在の設定値より増減した場合には、これらデータを用いて、焦点距離（ｆ）と絞り値（Ｆ）２８８〜Ｌｍａｘ２９６等が表示されることとなる。
【００９１】
したがって、本実施の形態によれば、現在の絞り値より増減した場合に、被写界深度やピントが合う範囲や過焦点距離がどう変わるのか、また、ピントをさらに前景または背景まで合うように、あるいは、さらにボケるように写すには、絞り値をどのように操作すればよいかを一見してわかり、プロの撮影に寄与することができる。
【００９２】
なお、図示した絞りＦと被写界深度Ｚや合焦距離（Ｌｍｉｎ、Ｌｍａｘ）との関係グラフだけでなく、焦点距離ｆまたは撮影距離Ｌと、被写界深度や合焦距離との関係グラフなど、他の関係グラフを表示したり、切替表示できるようにしてもよい。また、所望の被写界深度Ｚ、あるいは、被写界深度限界近点Ｌｍｉｎ、遠点Ｌｍａｘなど、合焦する範囲や過焦点距離Ｌ∞などを、ユーザーが任意に入力設定し、それを実現する絞り値Ｆ、または、焦点距離ｆ、撮影距離Ｌなどを前記式から逆算して自動設定できるように、被写界深度の設定入力手段や、この設定入力手段により入力された被写界深度に基づく露出制御手段や焦点制御手段を設けるようにしてもよい。
【００９３】
また、各実施の形態においては電子ファインダー２６に前述の各種情報を表示するようにしたが、情報表示部５９に同様の表示を行うようにしてもよく、電子ファインダー２６と情報表示部５９の双方に同様の表示を行うようにしてもよい。
【図面の簡単な説明】
【００９４】
【図１】本発明の各実施の形態に共通するデジタルカメラの正面図である。
【図２】同デジタルカメラの平面図である。
【図３】同デジタルカメラの背面図である。
【図４】同デジタルカメラの回路構成を示すブロック図である。
【図５】本発明の第１の実施の形態における制御回路の処理手順を示すフローチャートである。
【図６】図５のフローチャートに続くフローチャートである。
【図７】第１の実施の形態における表示遷移図である。
【図８】第１の実施の形態における他の表示遷移図である。
【図９】本発明の第２の実施の形態において用いる第１テーブルの概念図である。
【図１０】同実施の形態において用いる第２テーブルの概念図である。
【図１１】同実施の形態において用いる第３テーブルの概念図である。
【図１２】同形態における制御回路の処理手順を示すフローチャートである。
【図１３】図１２のフローチャートに続くフローチャートである。
【図１４】ステップＳ２２１における電子ファインダーの表示例を示す図である。
【図１５】ステップＳ２２１における電子ファインダーの表示例を示す図である。
【図１６】ステップＳ２２１における電子ファインダーの表示例を示す図である。
【図１７】ステップＳ２２１における電子ファインダーの表示例を示す図である。
【図１８】ステップＳ２２９またはステップＳ２３０における電子ファインダーの表示例を示す図である。
【図１９】ステップＳ２２９またはステップＳ２３０における電子ファインダーの表示例を示す図である。
【図２０】ステップＳ２２９またはステップＳ２３０における電子ファインダーの表示例を示す図である。
【図２１】ステップＳ２２９またはステップＳ２３０における電子ファインダーの表示例を示す図である。
【図２２】ステップＳ２２９またはステップＳ２３０における電子ファインダーの表示例を示す図である。
【図２３】ステップＳ２２９またはステップＳ２３０における電子ファインダーの表示例を示す図である。
【図２４】ステップＳ２２９またはステップＳ２３０における電子ファインダーの表示例を示す図である。
【図２５】本発明の第３の実施の形態における制御回路の処理手順を示すフローチャートである。
【図２６】ステップＳ３０２の処理内容を示す説明図である。
【図２７】ステップＳ３０４での処理による電子ファインダーの表示例を示す図である。
【図２８】ステップＳ３０４での処理による電子ファインダーの他の表示例を示す図である。
【図２９】ステップＳ３０４での処理による電子ファインダーの他の表示例を示す図である。
【図３０】本発明の第４の実施の形態において用いる第４テーブルを示す概念図である。
【図３１】同実施の形態における制御回路の処理手順を示すフローチャートである。
【図３２】ステップＳ４０５での処理による電子ファインダーの表示例を示す図である。
【図３３】ステップＳ４０５での処理による電子ファインダーの他の表示例を示す図である。
【図３４】本発明の第５の実施の形態における制御回路の処理手順を示すフローチャートである。
【図３５】ステップＳ５０３の処理内容を示す説明図である。
【図３６】ステップＳ５０５での処理による電子ファインダーの表示例を示す図である。
【図３７】ステップＳ５０５での処理による電子ファインダーの他の表示例を示す図である。
【図３８】本発明の第５の実施の形態の変形例で用いる第５テーブルを示す概念図である。
【図３９】本発明の第６の実施の形態において焦点距離と被写界深度との関係を示す図である。
【図４０】同実施の形態において距離と被写界深度との関係を示す図である。
【図４１】同実施の形態において絞りと被写界深度との関係を示す図である。
【図４２】同実施の形態において焦点深度と被写界深度との関係を示す図である。
【図４３】同実施の形態における制御回路の処理手順を示すフローチャートである。
【図４４】（ａ）はステップＳ６０７〜Ｓ５１０での処理による表示例を示す図であり、（ｂ）はステップＳ６０８で絞り値を現在の設定値より増減した場合のデータを示す図である。
【図４５】（ａ）はステップＳ６０７〜Ｓ５１０での処理による表示例を示す図であり、（ｂ）はステップＳ６０８で絞り値を現在の設定値より増減した場合データを示す図である。
【図４６】（ａ）はステップＳ６０７〜Ｓ５１０での処理による表示例を示す図であり、（ｂ）はステップＳ６０８で絞り値を現在の設定値より増減した場合のデータを示す図である。
【符号の説明】
【００９５】
１    デジタルカメラ
２    本体
３    撮像レンズ
４    測光部
８    測距センサー部
１６    カーソルキー
１７    ＳＥＴキー
１８    ＭＥＮＵキー
１９    モードダイアル
２３    制御回路
２６    電子ファインダー
２９    入力操作部
３０    入力回路
３１    制御回路
３２    表示メモリ
３３    表示駆動ブロック
３４    画像バッファメモリ
３５    画像信号処理部
３８    外部メモリインタフェース
４１    外部メモリ
４２    ＬＡＮ通信ＩＦ
４３    ＬＡＮコネクタ
４４    ＵＳＢ通信ＩＦ
４５    ＵＳＢコネクタ
４９    表示駆動ブロック
５６    測光／露出制御ブロック
５７    測距制御ブロック
５８    フラッシュ制御ブロック
５９    情報表示部
６０    レンズ駆動ブロック
６３    シャッター
６４    撮像素子
６５    ＣＤＳ／ＡＧＣ
６６    測距センサ
２６４    シャッター速度スケール
２６５    露出値スケール
２６６    値スケール
２６７    指針
２６８    指針
２６９    指針
２７０    指針
２７３    目盛
２７４    中央指針
２７５    回転目盛
２７６    プログラム線図
２８１    画角スケール
２８２    被写体距離
２８３    ズーム倍率
２８４    焦点距離
２８５    側長用換算スケール
２８６    換算目盛
２８７    距離換算目盛
２８９    撮影距離目盛
２９２    遠点
２９４    関係グラフ
３０１    シャッター速度目盛
ＳＰ    サンプル画像
【図１】
2005201995.tif 000003
【図２】
2005201995.tif 000004
【図３】
2005201995.tif 000005
【図４】
2005201995.tif 000006
【図５】
2005201995.tif 000007
【図６】
2005201995.tif 000008
【図７】
2005201995.tif 000009
【図８】
2005201995.tif 000010
【図９】
2005201995.tif 000011
【図１０】
2005201995.tif 000012
【図１１】
2005201995.tif 000013
【図１２】
2005201995.tif 000014
【図１３】
2005201995.tif 000015
【図１４】
2005201995.tif 000016
【図１５】
2005201995.tif 000017
【図１６】
2005201995.tif 000018
【図１７】
2005201995.tif 000019
【図１８】
2005201995.tif 000020
【図１９】
2005201995.tif 000021
【図２０】
2005201995.tif 000022
【図２１】
2005201995.tif 000023
【図２２】
2005201995.tif 000024
【図２３】
2005201995.tif 000025
【図２４】
2005201995.tif 000026
【図２５】
2005201995.tif 000027
【図２６】
2005201995.tif 000028
【図２７】
2005201995.tif 000029
【図２８】
2005201995.tif 000030
【図２９】
2005201995.tif 000031
【図３０】
2005201995.tif 000032
【図３１】
2005201995.tif 000033
【図３２】
2005201995.tif 000034
【図３３】
2005201995.tif 000035
【図３４】
2005201995.tif 000036
【図３５】
2005201995.tif 000037
【図３６】
2005201995.tif 000038
【図３７】
2005201995.tif 000039
【図３８】
2005201995.tif 000040
【図３９】
2005201995.tif 000041
【図４０】
2005201995.tif 000042
【図４１】
2005201995.tif 000043
【図４２】
2005201995.tif 000044
【図４３】
2005201995.tif 000045
【図４４】
2005201995.tif 000046
【図４５】
2005201995.tif 000047
【図４６】
2005201995.tif 000048